(57)【要約】【課題】陰嚢を刺激する射精促進装置用補助具を提供し、陰茎と陰嚢とを合わせて刺激するような射精促進装置を提供すること。また、射精促進装置の実装形態によって「飽き」に基づく問題を解決すること。【解決手段】長手方向の少なくとも１端面が開口した筒状の容器を有する射精促進装置に接合させるための、接触刺激部と容器に接合される接合部と接触刺激部及び接合部を結合する保持部とを有する射精促進装置用補助具を提供する。容器を小筒に分割可能なものとし、小筒の内部の形状又は材質に変化を持たせる。【選択図】図１
2014061201.tif 000002
【特許請求の範囲】
【請求項１】
長手方向の少なくとも１端面が開口した筒状の容器を有する射精促進装置に接合させるための射精促進装置用補助具であって、
前記開口した端面の前記容器とは反対側の前記筒を延伸した領域にその先端が配される接触刺激部と、
前記容器に接合される接合部と、
前記接合部と前記接触刺激部とを結合する保持部とを有することを特徴とする、射精促進装置用補助具。
【請求項２】
前記接触刺激部は、その厚みが一定でない場合もある略楕円形状の板状体であり、その板面は前記筒の周縁に略並行に配され、前記楕円の長径の一端が前記保持部に結合され、他端が先端であることを特徴とする、請求項１に記載の射精促進装置用補助具。
【請求項３】
前記保持部は弾性を持ち、前記接触刺激部が移動するとそれを戻す方向に弾性力が加わることを特徴とする、請求項１又は２に記載の射精促進装置用補助具。
【請求項４】
前記保持部は可撓性を有し、前記接触刺激部の前記筒に対する相対位置が調節可能であることを特徴とする、請求項１〜３のいずれか１項に記載の射精促進装置用補助具。
【請求項５】
請求項１〜４のいずれか１項に記載の射精促進装置用補助具を接合したものであることを特徴とする、射精促進装置。
【請求項６】
前記容器の長手方向に沿った側面と前記接合部とにおいて、その一方に直線状の溝を有し、他方に前記溝に係合する凸条を有することを特徴とする、請求項５に記載の射精促進装置。
【請求項７】
前記容器の内部及び前記接触刺激部に接合する一体化された軟質部材を有することを特徴とする、請求項５又は６に記載の射精促進装置。
【請求項８】
前記軟質部材のうち前記接触刺激部に接合する部分が、前記容器内に収納可能であることを特徴とする、請求項７に記載の射精促進装置。
【請求項９】
前記容器は長手方向に沿って３以上の小筒に分割可能であり、小筒の順序を置換可能であることを特徴とする、請求項６に記載の射精促進装置。
【請求項１０】
前記小筒の内部の形状又は材質が小筒毎に異なるものであることを特徴とする、請求項９に記載の射精促進装置。
【発明の詳細な説明】
【技術分野】
【０００１】
本発明は、射精促進装置に接合させて射精効率を高める射精促進装置用補助具及び該射精促進装置用補助具を備えた射精促進装置に関するものである。
【背景技術】
【０００２】
医学的な研究のため、疾病治療のためのデータを採取するため、その他の目的で男性の精子を採取する射精促進装置が知られている。多くの射精促進装置は、特許文献１に開示されるように、筒状の容器に陰茎を挿入し、容器内の部材が陰茎に接触する刺激によって射精を促進するものである。
射精を誘発するためには、陰茎のみならず陰嚢をも刺激することが効果的である。しかし、陰茎と陰嚢とを合わせて刺激するような射精促進装置は開示されていなかった。
【０００３】
また、特許文献２には、射精促進装置を分割し、刺激を変化させて固定された刺激に起因する「飽き」に基づく問題を軽減する射精促進装置が開示されている。しかし、特許文献２に開示された射精促進装置は、分割された単位の形状の相違が明示されておらず、「飽き」に基づく問題の解決としては不十分である
【０００４】
以上のとおり、陰茎と陰嚢とを合わせて刺激するような射精促進装置は開示されておらず、また、「飽き」に基づく問題は十分には解決されていなかった。
【先行技術文献】
【特許文献】
【０００５】
【特許文献１】特開２００６−３４０８７１号公報
【特許文献２】特開２０１０−１１９４７８号公報
【発明の概要】
【発明が解決しようとする課題】
【０００６】
解決しようとする課題は、陰嚢を刺激する射精促進装置用補助具を提供し、陰茎と陰嚢とを合わせて刺激するような射精促進装置を提供することである。また、射精促進装置の実装形態によって「飽き」に基づく問題を解決することである。
【課題を解決するための手段】
【０００７】
本発明の射精促進装置用補助具は、
長手方向の少なくとも１端面が開口した筒状の容器を有する射精促進装置に接合させるための射精促進装置用補助具であって、
前記開口した端面の前記容器とは反対側の前記筒を延伸した領域にその先端が配される接触刺激部と、
前記容器に接合される接合部と、
前記接合部と前記接触刺激部とを結合する保持部とを有することを特徴とする。
【０００８】
陰茎を容器に挿入した状態において、接触刺激部が陰嚢を刺激する。陰茎と陰嚢とが同時に刺激され、射精が効果的に促進される。
【０００９】
本発明の射精促進装置用補助具は、
前記接触刺激部は、その厚みが一定でない場合もある略楕円形状の板状体であり、その板面は前記筒の周縁に略並行に配され、前記楕円の長径の一端が前記保持部に結合され、他端が先端であることを特徴とする。
【００１０】
保持部から先端にかけて、楕円形状の膨らみにより、中間で接触刺激部が幅広になる。陰嚢を全体的に刺激することができる。
【００１１】
本発明の射精促進装置用補助具は、
前記保持部は弾性を持ち、前記接触刺激部が移動するとそれを戻す方向に弾性力が加わることを特徴とする。
【００１２】
接触刺激部は効果的に刺激を与える位置にあることが好ましい。一方、容器内で陰茎を動かす際に硬い接触刺激部が動きを妨げることは好ましくない。保持部に弾性を持たせることで、接触刺激部の位置を固定しつつ陰茎の動きを妨げないようにする。
【００１３】
本発明の射精促進装置用補助具は、
前記保持部は可撓性を有し、前記接触刺激部の前記筒に対する相対位置が調節可能であることを特徴とする。
【００１４】
使用者の体型及び好みに合わせて接触刺激部の相対位置が調節できる。例えば、保持部を可撓性金属管のような構造にすることで可撓性を持たせることができる。
【００１５】
本発明の射精促進装置は、
上記の射精促進装置用補助具を接合したものであることを特徴とする。
【００１６】
容器内の部材によって陰茎を刺激し、射精促進装置用補助具によって陰嚢を刺激する。陰茎と陰嚢とを合わせて刺激するような射精促進装置が提供される。
【００１７】
本発明の射精促進装置は、
前記容器の長手方向に沿った側面と前記接合部とにおいて、その一方に直線状の溝を有し、他方に前記溝に係合する凸条を有することを特徴とする。
【００１８】
溝に凸条を係合させて、射精促進装置と射精促進装置用補助具とを接合する。射精促進装置用補助具を容器側面の溝または凸条に差し込むだけで射精促進装置と接合させることができ、射精促進装置用補助具の着脱が容易である。
むろん、溝に凸条を係合させる方法以外の方法で射精促進装置と射精促進装置用補助具とを接合することも可能である。
【００１９】
本発明の射精促進装置は、
前記容器の内部及び前記接触刺激部に接合する一体化された軟質部材を有することを特徴とする。
【００２０】
多くの射精促進装置において、容器の内部には、陰茎に接触させるための軟質部材が配されている。陰嚢に接触させるための軟質部材もあるほうが好ましい。しかし、陰嚢に接触させる軟質部材を接触刺激部に配しても使用中に落下してしまう可能性がある。そこで、陰茎に接触させるための部分と陰嚢に接触させるための部分を一体化して１つの軟質部材とすることで、落下を防止する。
なお、軟質部材に一定の強度があるならば、射精促進装置用補助具を用いずに容器と軟質部材のみを用いて陰茎と陰嚢とを同時に刺激することも可能である。
【００２１】
本発明の射精促進装置は、
前記軟質部材のうち前記接触刺激部に接合する部分が、前記容器内に収納可能であることを特徴とする。
【００２２】
射精促進装置を使用せずに保管している時に、接触刺激部に接合する部分を容器内に収納して、衛生的に保管することを容易にする。
また、収納した状態でも射精促進装置を使用可能である。
【００２３】
本発明の射精促進装置は、
前記容器は長手方向に沿って２以上の小筒に分割可能であり、小筒を置換可能であることを特徴とする。
【００２４】
射精促進装置用補助具に小筒を順次に挿入して小筒を合わせた筒状にすることができる。全ての小筒が射精促進装置用補助具に任意の順序で挿入できるような形状（全体として同形状又は射精促進装置用補助具との接合部が同形状）であることが好ましい。
ここで、「置換」には、小筒同士で順序を置換する場合と、小筒を外して他の小筒を挿入する場合の両方を含む。なお、全ての小筒が置換可能である必要はなく、一部（２以上）の小筒が置換可能であればよい。例えば、全部で４つの小筒を有し、先端（射精促進装置用補助具と反対側）及び根元（射精促進装置用補助具の側）の小筒を除く２つの小筒を置換することができるものであってもよい。
先端の小筒を容易に取り外すことができ、先端の小筒内の精子を容易に採取できる。
【００２５】
本発明の射精促進装置は、
前記小筒の内部の形状又は材質が小筒毎に異なるものであることを特徴とする。
【００２６】
小筒の内部の形状又は材質によって陰茎への刺激（使用者の感覚）が異なる。使用者の好みに合わせて小筒の順序を入れ替えることができる。また、感覚を変更できるので「飽き」が発生しにくくなる。
内部の形状又は材質の異なる小筒を実際に使用する数よりも多く用意してもよい。使用者は数多くの小筒のうちで自分の好みに合うもののみを選択して使用することができる。変更できる感覚の種類の数が増え、「飽き」の発生がより減少する。
また、使用する小筒の数を陰茎の長さに対応して増減させることもできる。
【発明の効果】
【００２７】
陰嚢を刺激する射精促進装置用補助具が提供される。この射精促進装置用補助具を用いて陰茎と陰嚢とを合わせて刺激するような射精促進装置が提供される。また、内部の形状又は材質が異なる小筒を用いて多種の感覚を持たせ、「飽き」の発生を防止する。
【図面の簡単な説明】
【００２８】
【図１】図１は、射精促進装置用補助具を示す図である。
【図２】図２は、射精促進装置を示す図である。
【図３】図３は、小筒に分割された容器を示す図である。
【図４】図４は、軟質部材を備えた射精促進装置を示す断面図である。
【発明を実施するための形態】
【００２９】
以下、本発明の射精促進装置用補助具及び射精促進装置の原理を示す実施例１、小筒に分割された容器を示す実施例２、及び一体化された軟質部材を示す実施例３について説明する。
【実施例１】
【００３０】
図１は、射精促進装置用補助具を示す図である。射精促進装置用補助具１は、接触刺激部１１、保持部１２及び接合部１３を有している。保持部１２はその内部にバネ板を備えており、バネ板の弾性によって接触刺激部１１が移動した時に元の位置に戻す。
図の左上に接合部１３の断面図を示す。接合部１３には溝１３１が設けられている。
【００３１】
図２は、射精促進装置を示す図である。容器２は筒状であり、その側面に凸条（図示しない）が設けられ、接合部１３の溝１３１が嵌合されている。
容器２に陰茎を挿入すると、接触刺激部１１が陰嚢に接触して陰嚢を刺激し、陰茎と陰嚢とを同時に刺激することができる。
【００３２】
本実施例は保持部１２が弾性を持ち可撓性を持たないものであるが、弾性を持たずに可撓性を持つものとしてもよく、弾性と可撓性の両方を持つものとしてもよい。また、必ずしも好ましくはないが弾性も可撓性も持たず接触刺激部１１の位置が固定されていてもよい。
【実施例２】
【００３３】
図３は、小筒に分割された容器を示す図である。容器２は、４つの小筒２１、２２及び２３に分割されている。分割された小筒は、図に示すように小筒同士が互いに係合するような凹凸を持った形状である。先端の小筒２２及び根元の小筒２３は他の小筒とその外形が異なっているが、中間にある小筒２１はすべて同一の外形であり、相互に置換可能である。
【００３４】
使用者は、射精促進装置用補助具１の接合部１３にある溝１３１に、根元の小筒２３を挿入し、好みに合った順で２つの小筒２１を挿入し、先端の小筒２２を挿入して、射精促進装置を使用することができる。２つの小筒２１の順番は置換可能である。また、２つの小筒２１のうちの１つ以上を別の小筒（図示しない）と置換することも可能である。
【００３５】
図３に示されるように、各々の小筒の内部形状は小筒ごとに異なる。また、内部の材質についても、硬質のものと軟質のものとを適宜に使い分けることができる。
また、小筒（先端のもの、中間のもの、根元のものの全て）について、図示しない内部の形状及び材質のものを提供し、多種の小筒から使用者が選択するようにすることができる。その際、内部の形状及び材質に対応させて小筒の筒外体部分の色彩を決め、使用者が色彩のみによって各小筒の特性を把握しやすいようにすることが好ましい。
【実施例３】
【００３６】
図４は、軟質部材を備えた射精促進装置を示す断面図である。図の（ａ）に示すように、軟質部材３は陰茎刺激部分３１と陰嚢刺激部分３２が一体化された１つの部材である。陰茎刺激部分３１は容器２の内部に、陰嚢刺激部分３２は接触刺激部１１に、それぞれ接合されている。
陰茎及び陰嚢が共に軟質部材によって刺激される。
【００３７】
軟質部材を備えた射精促進装置は、図の（ｂ）に示すように容器２と軟質部材３のみを用いることもできる。また、図の（ｃ）に示すように陰嚢刺激部分３２を容器の中に収納して用いることもできる。
【産業上の利用可能性】
【００３８】
陰嚢を刺激する射精促進装置用補助具、及びその射精促進装置用補助具を用いて陰茎と陰嚢とを合わせて刺激しかつ「飽き」の発生を防止した射精促進装置であり、多くの医療機関及び男性による利用が考えられる。
【符号の説明】
【００３９】
１      射精促進装置用補助具
１１    接触刺激部
１２    保持部
１３    接合部
１３１  溝
２      容器
２１    小筒
２２    先端の小筒
２３    根元の小筒
３      軟質部材
３１    陰茎刺激部分
３２    陰嚢刺激部分 
【図１】
2014061201.tif 000003
【図２】
2014061201.tif 000004
【図３】
2014061201.tif 000005
【図４】
2014061201.tif 000006